【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
画像形成装置において、
装置本体と、
現像カートリッジと、
前記現像カートリッジを装着した状態で前記装置本体に設けられた装置本体開口部に挿入されて前記装置本体に装着されるドラム支持枠体と、
を有し、
前記現像カートリッジは、
潜像を現像する現像ローラと、
前記現像ローラを回転させるための駆動力を受ける現像カップリングと、
を備え、
前記ドラム支持枠体は、
感光体ドラムと、
前記現像カートリッジを装着するための装着部と、
前記現像ローラが前記感光体ドラムに接触することを許容する第１位置と、前記現像ローラと前記感光体ドラムを離間させる第２位置とに移動可能な接離部材と、
を備え、
前記装置本体は、
前記装置本体開口部を開閉するドアと、
前記ドアが閉まる動作に連動して前記現像カップリングと係合し、前記現像カップリングに駆動力を伝える本体側現像カップリングと、
を備え、
前記感光体ドラムの長手方向に関して、前記ドラム支持枠体の一端部には側壁が設けられ、前記接離部材は前記側壁に支持されていることを特徴とする画像形成装置。
【請求項２】
前記長手方向に関して、前記接離部材は前記ドラム支持枠体の一端部のみに配置されていることを特徴とする請求項１に記載の画像形成装置。
【請求項３】
前記本体側現像カップリングは、前記ドアが開く動作に連動して前記現像カップリングとの係合が解除されることを特徴とする請求項１又は２に記載の画像形成装置。
【請求項４】
前記ドラム支持枠体が前記装置本体開口部に挿入される挿入方向は、前記感光体ドラムの軸線と交差する方向であることを特徴とする請求項１乃至３のいずれか一項に記載の画像形成装置。
【請求項５】
前記ドラム支持枠体が前記装置本体開口部に挿入されている状態で、前記接離部材は前記第１位置と前記第２位置との間を移動することを特徴とする請求項１乃至４のいずれか一項に記載の画像形成装置。
【請求項６】
前記装置本体は、前記接離部材を動かすための力を加える力付与部材を備えることを特徴とする請求項１乃至５のいずれか１項に記載の画像形成装置。
【請求項７】
前記ドラム支持枠体は、前記感光体ドラムを回転させるための駆動力を受けるドラムカップリングを備え、
前記装置本体は、前記ドアが閉まる動作に連動して、前記ドラムカップリングと係合して前記ドラムカップリングに駆動力を伝える本体側ドラムカップリングと、を備えることを特徴とする請求項１乃至６のいずれか１項に記載の画像形成装置。
【請求項８】
画像形成装置において、
装置本体と、
現像カートリッジと、
前記現像カートリッジを装着した状態で前記装置本体に設けられた装置本体開口部に挿入されて前記装置本体に装着されるドラム支持枠体と、
を有し、
前記現像カートリッジは、
潜像を現像する現像ローラと、
前記現像ローラを回転させるための駆動力を受ける現像カップリングと、
を備え、
前記ドラム支持枠体は、
感光体ドラムと、
前記現像カートリッジを取り外し可能に装着するための装着部と、
前記現像カートリッジを、前記現像ローラが前記感光体ドラムに接触することを許容する第１位置から前記第１位置と異なる第２位置へ移動させる移動部材と、
を備え、
前記装置本体は、
前記装置本体開口部を開閉するドアと、
前記ドアが閉まる動作に連動して前記現像カップリングと係合し、前記現像カップリングに駆動力を伝える本体側現像カップリングと、
を備え、
前記感光体ドラムの長手方向に関して、前記ドラム支持枠体の一端部には側壁が設けられ、前記移動部材は前記側壁に支持されていることを特徴とする画像形成装置。
【請求項９】
前記現像カートリッジが前記第２位置にある時、前記現像カートリッジは、前記第１位置にある時よりも前記ドラム支持枠体から離れた位置にあることを特徴とする請求項８に記載の画像形成装置。
【請求項１０】
前記現像カートリッジが前記第２位置にある時、前記現像ローラは、前記現像カートリッジが前記第１位置にある時よりも、前記感光体ドラムから離れた位置にあることを特徴とする請求項８又は９に記載の画像形成装置。
【請求項１１】
前記長手方向に関して、前記移動部材は前記ドラム支持枠体の一端部のみに配置されていることを特徴とする請求項８乃至１０のいずれか一項に記載の画像形成装置。
【請求項１２】
前記本体側現像カップリングは、前記ドアが開く動作に連動して前記現像カップリングとの係合が解除されることを特徴とする請求項８乃至１１のいずれか一項に記載の画像形成装置。
【請求項１３】
前記ドラム支持枠体が前記装置本体開口部に挿入される挿入方向は、前記感光体ドラムの軸線と交差する方向であることを特徴とする請求項８乃至１２のいずれか一項に記載の画像形成装置。
【請求項１４】
前記ドラム支持枠体が前記装置本体開口部に挿入されている状態で、前記移動部材は前記第１位置と前記第２位置との間を移動することを特徴とする請求項８乃至１３のいずれか一項に記載の画像形成装置。
【請求項１５】
前記装置本体は、前記移動部材を動かすための力を加える力付与部材を備えることを特徴とする請求項８乃至１４のいずれか１項に記載の画像形成装置。
【請求項１６】
前記ドラム支持枠体は、前記感光体ドラムを回転させるための駆動力を受けるドラムカップリングを備え、
前記装置本体は、前記ドアが閉まる動作に連動して、前記ドラムカップリングと係合して前記ドラムカップリングに駆動力を伝える本体側ドラムカップリングと、を備えることを特徴とする請求項８乃至１５のいずれか１項に記載の画像形成装置。
【請求項１７】
現像カートリッジを装着した状態で画像形成装置の装置本体に設けられた装置本体開口部に挿入されて前記装置本体に装着されるドラム支持枠体において、
現像カートリッジは、潜像を現像する現像ローラと、前記現像ローラを回転させるための駆動力を受ける現像カップリングと、を備えるものであり、
前記装置本体は、前記装置本体開口部を開閉するドアと、前記現像カップリングと係合して前記現像カップリングに駆動力を伝える本体側現像カップリングと、を備えるものであって、
前記ドラム支持枠体は、
感光体ドラムと、
前記現像カートリッジを取り外し可能に装着するための装着部と、
前記現像ローラが前記感光体ドラムに接触することを許容する第１位置と、前記現像ローラと前記感光体ドラムを離間させる第２位置とに移動可能な接離部材と、
前記現像カップリングを前記本体側現像カップリングと係合させるために前記現像カップリングを露出させる現像カップリング露出部と、
を有し、
前記ドアが閉まる動作に連動して、前記現像カップリングと前記本体側現像カップリングとが係合し、
前記感光体ドラムの長手方向に関して、前記ドラム支持枠体の一端部には側壁が設けられ、前記接離部材は前記側壁に支持されていることを特徴とするドラム支持枠体。
【請求項１８】
前記長手方向に関して、前記接離部材は前記ドラム支持枠体の一端部のみに配置されていることを特徴とする請求項１７に記載のドラム支持枠体。
【請求項１９】
前記ドラム支持枠体が前記装置本体開口部に挿入されている状態で、前記接離部材は前記第１位置と前記第２位置との間を移動することを特徴とする請求項１７又は１８に記載のドラム支持枠体。
【請求項２０】
前記ドラム支持枠体が前記装置本体開口部に挿入される挿入方向は、前記感光体ドラムの軸線と交差する方向であり、
前記本体側現像カップリングは前記軸線に沿った方向に移動することを特徴とする請求項１７乃至１９のいずれか一項に記載のドラム支持枠体。
【請求項２１】
前記接離部材は、前記装置本体に設けられた力付与部材から力を受けることで、移動することを特徴とする請求項１７乃至２０のいずれか１項に記載のドラム支持枠体。
【請求項２２】
前記ドラム支持枠体は、前記感光体ドラムを回転させるための駆動力を受けるドラムカップリングと、前記ドラムカップリングを露出させるドラムカップリング露出部と、を有し、
前記装置本体は、前記ドアが閉まる動作に連動して、前記ドラムカップリングと係合して前記ドラムカップリングに駆動力を伝える本体側ドラムカップリングと、を備えることを特徴とする請求項１７乃至２１のいずれか１項に記載のドラム支持枠体。
【請求項２３】
現像カートリッジを装着した状態で画像形成装置の装置本体に設けられた装置本体開口部に挿入されて前記装置本体に装着されるドラム支持枠体において、
現像カートリッジは、潜像を現像する現像ローラと、前記現像ローラを回転させるための駆動力を受ける現像カップリングと、を備えるものであり、
前記装置本体は、前記装置本体開口部を開閉するドアと、前記現像カップリングと係合して前記現像カップリングに駆動力を伝える本体側現像カップリングと、を備えるものであって、
前記ドラム支持枠体は、
感光体ドラムと、
前記現像カートリッジを取り外し可能に装着するための装着部と、
前記現像カートリッジを、前記現像ローラが前記感光体ドラムに接触することを許容する第１位置から前記第１位置と異なる第２位置へ移動させる移動部材と、
前記現像カップリングを前記本体側現像カップリングと係合させるために前記現像カップリングを露出させる現像カップリング露出部と、
を有し、
前記ドアが閉まる動作に連動して、前記現像カップリングと前記本体側現像カップリングとが係合し、
前記感光体ドラムの長手方向に関して、前記ドラム支持枠体の一端部には側壁が設けられ、前記移動部材は前記側壁に支持されていることを特徴とするドラム支持枠体。
【請求項２４】
前記現像カートリッジが前記第２位置にある時、前記現像カートリッジは、前記第１位置にある時よりも前記ドラム支持枠体から離れた位置にあることを特徴とする請求項２３に記載のドラム支持枠体。
【請求項２５】
前記現像カートリッジが前記第２位置にある時、前記現像ローラは、前記現像カートリッジが前記第１位置にある時よりも、前記感光体ドラムから離れた位置にあることを特徴とする請求項２３又は２４に記載のドラム支持枠体。
【請求項２６】
前記長手方向に関して、前記移動部材は前記ドラム支持枠体の一端部のみに配置されていることを特徴とする請求項２３乃至２５のいずれか一項に記載のドラム支持枠体。
【請求項２７】
前記ドラム支持枠体が前記装置本体開口部に挿入されている状態で、前記移動部材は前記第１位置と前記第２位置との間を移動することを特徴とする請求項２３乃至２６のいずれか一項に記載のドラム支持枠体。
【請求項２８】
前記ドラム支持枠体が前記装置本体開口部に挿入される挿入方向は、前記感光体ドラムの軸線と交差する方向であり、
前記本体側現像カップリングは前記軸線に沿った方向に移動することを特徴とする請求項２３乃至２７のいずれか一項に記載のドラム支持枠体。
【請求項２９】
前記移動部材は、前記装置本体に設けられた力付与部材から力を受けることで、移動することを特徴とする請求項２３乃至２８のいずれか１項に記載のドラム支持枠体。
【請求項３０】
前記ドラム支持枠体は、前記感光体ドラムを回転させるための駆動力を受けるドラムカップリングと、前記ドラムカップリングを露出させるドラムカップリング露出部と、を有し、
前記装置本体は、前記装置本体開口部を開閉するドアと、前記ドアが閉まる動作に連動して、前記ドラムカップリングと係合して前記ドラムカップリングに駆動力を伝える本体側ドラムカップリングと、を備えることを特徴とする請求項２３乃至２９のいずれか１項に記載のドラム支持枠体。
【手続補正２】
【補正対象書類名】明細書
【補正対象項目名】００１２
【補正方法】変更
【補正の内容】
【００１２】
上記目的を達成するために本発明にあっては、
画像形成装置において、
装置本体と、
現像カートリッジと、
前記現像カートリッジを装着した状態で前記装置本体に設けられた装置本体開口部に挿入されて前記装置本体に装着されるドラム支持枠体と、
を有し、
前記現像カートリッジは、
潜像を現像する現像ローラと、
前記現像ローラを回転させるための駆動力を受ける現像カップリングと、
を備え、
前記ドラム支持枠体は、
感光体ドラムと、
前記現像カートリッジを装着するための装着部と、
前記現像ローラが前記感光体ドラムに接触することを許容する第１位置と、前記現像ローラと前記感光体ドラムを離間させる第２位置とに移動可能な接離部材と、
を備え、
前記装置本体は、
前記装置本体開口部を開閉するドアと、
前記ドアが閉まる動作に連動して前記現像カップリングと係合し、前記現像カップリングに駆動力を伝える本体側現像カップリングと、
を備え、
前記感光体ドラムの長手方向に関して、前記ドラム支持枠体の一端部には側壁が設けられ、前記接離部材は前記側壁に支持されていることを特徴とする。 
【手続補正３】
【補正対象書類名】明細書
【補正対象項目名】００１３
【補正方法】変更
【補正の内容】
【００１３】
また、他の発明は、
画像形成装置において、
装置本体と、
現像カートリッジと、
前記現像カートリッジを装着した状態で前記装置本体に設けられた装置本体開口部に挿入されて前記装置本体に装着されるドラム支持枠体と、
を有し、
前記現像カートリッジは、
潜像を現像する現像ローラと、
前記現像ローラを回転させるための駆動力を受ける現像カップリングと、
を備え、
前記ドラム支持枠体は、
感光体ドラムと、
前記現像カートリッジを取り外し可能に装着するための装着部と、
前記現像カートリッジを、前記現像ローラが前記感光体ドラムに接触することを許容する第１位置から前記第１位置と異なる第２位置へ移動させる移動部材と、
を備え、
前記装置本体は、
前記装置本体開口部を開閉するドアと、
前記ドアが閉まる動作に連動して前記現像カップリングと係合し、前記現像カップリングに駆動力を伝える本体側現像カップリングと、
を備え、
前記感光体ドラムの長手方向に関して、前記ドラム支持枠体の一端部には側壁が設けられ、前記移動部材は前記側壁に支持されていることを特徴とする。
また、他の発明は、
現像カートリッジを装着した状態で画像形成装置の装置本体に設けられた装置本体開口部に挿入されて前記装置本体に装着されるドラム支持枠体において、
現像カートリッジは、潜像を現像する現像ローラと、前記現像ローラを回転させるための駆動力を受ける現像カップリングと、を備えるものであり、
前記装置本体は、前記装置本体開口部を開閉するドアと、前記現像カップリングと係合して前記現像カップリングに駆動力を伝える本体側現像カップリングと、を備えるものであって、
前記ドラム支持枠体は、
感光体ドラムと、
前記現像カートリッジを取り外し可能に装着するための装着部と、
前記現像ローラが前記感光体ドラムに接触することを許容する第１位置と、前記現像ローラと前記感光体ドラムを離間させる第２位置とに移動可能な接離部材と、
前記現像カップリングを前記本体側現像カップリングと係合させるために前記現像カップリングを露出させる現像カップリング露出部と、
を有し、
前記ドアが閉まる動作に連動して、前記現像カップリングと前記本体側現像カップリングとが係合し、
前記感光体ドラムの長手方向に関して、前記ドラム支持枠体の一端部には側壁が設けられ、前記接離部材は前記側壁に支持されていることを特徴とする。
また、他の発明は、
現像カートリッジを装着した状態で画像形成装置の装置本体に設けられた装置本体開口部に挿入されて前記装置本体に装着されるドラム支持枠体において、
現像カートリッジは、潜像を現像する現像ローラと、前記現像ローラを回転させるため
の駆動力を受ける現像カップリングと、を備えるものであり、
前記装置本体は、前記装置本体開口部を開閉するドアと、前記現像カップリングと係合して前記現像カップリングに駆動力を伝える本体側現像カップリングと、を備えるものであって、
前記ドラム支持枠体は、
感光体ドラムと、
前記現像カートリッジを取り外し可能に装着するための装着部と、
前記現像カートリッジを、前記現像ローラが前記感光体ドラムに接触することを許容する第１位置から前記第１位置と異なる第２位置へ移動させる移動部材と、
前記現像カップリングを前記本体側現像カップリングと係合させるために前記現像カップリングを露出させる現像カップリング露出部と、
を有し、
前記ドアが閉まる動作に連動して、前記現像カップリングと前記本体側現像カップリングとが係合し、
前記感光体ドラムの長手方向に関して、前記ドラム支持枠体の一端部には側壁が設けられ、前記移動部材は前記側壁に支持されていることを特徴とする。